(57)【要約】【課題】連写した画像から目的とする画像を簡単に見つけ出すことができる撮影装置を提供する。【解決手段】連写モードで画像を撮影すると、各コマの撮影と同時に周囲の音声がコマごとに取得される。取得されたコマごとの音声は、対応するコマの画像に関連付けられて、画像とともに記録される。連写モードで撮影された画像は、その再生時、音声のレベルが規定値以上の画像が選別され、表示部に表示される。【選択図】      図６
2010068280.tif 000002
【特許請求の範囲】
【請求項１】
撮影手段と表示手段とを備えた撮影装置において、
撮影を指示する撮影指示手段と、
前記撮影指示手段による撮影指示に応じて、前記撮影手段が連続的に画像を撮影するように制御する撮影制御手段と、
連続撮影時に各コマの撮影ごとに周囲の音声を取得する音声取得手段と、
撮影により得られた画像と、その画像が撮影された時に得られた音声とを関連付けて、記憶媒体に記録する記録制御手段と、
画像の選別を指示する選別指示手段と、
前記選別指示手段による選別の指示に応じて、一回の連続撮影で得られた一連の画像の中から音声のレベルが規定値以上の画像を選別する画像選別手段と、
前記画像選別手段で選別された画像を前記表示手段に表示させる表示制御手段と、
を備えたことを特徴とする撮影装置。
【請求項２】
前記音声取得手段で取得された個々の画像の音声のレベル情報を生成する音声レベル情報生成手段を備え、前記記録制御手段は、前記音声レベル情報生成手段で生成された音声のレベル情報を対応する画像の画像データに付加して、前記記憶媒体に記録することを特徴とする請求項１に記載の撮影装置。
【請求項３】
前記音声取得手段は、被写体までの距離に応じて、音声の取得開始タイミングを可変させることを特徴とする請求項１又は２に記載の撮影装置。
【請求項４】
前記表示制御手段は、前記画像選別手段で選別された画像とともに、選別された画像の音声のレベルを前記表示手段に表示させることを特徴とする請求項１〜３のいずれか一項に記載の撮影装置。
【請求項５】
前記規定値を設定する規定値設定手段を備えたことを特徴とする請求項１〜４のいずれか一項に記載の撮影装置。
【請求項６】
前記画像選別手段で選別された一連の画像の連続性を判別する連続性判別手段と、
前記連続性判別手段で連続性がないと判別された一連の画像が連続性を持つように画像を補完する画像補完手段と、
を備え、前記表示制御手段は、前記画像補完手段で補完された画像を前記表示手段に表示させることを特徴とする請求項１〜５のいずれか一項に記載の撮影装置。
【請求項７】
前記表示制御手段は、前記画像選別手段で選別された画像を前記表示手段に表示する際、各画像に関連付けられている音声のレベルに応じて、画像の大きさを変えて前記表示手段に表示させることを特徴とする請求項１〜６のいずれか一項に記載の撮影装置。
【請求項８】
前記画像選別手段で選別された画像の中から最も音声のレベルが高い画像を最高音画像として抽出する画像抽出手段を備え、
前記表示制御手段は、前記画像選別手段で選別された画像を前記表示手段に表示する際、前記最高音画像を他の画像と区別可能な態様で前記表示手段に表示させることを特徴とする請求項１〜６のいずれか一項に記載の撮影装置。
【請求項９】
撮影指示に応じて画像を連続的に撮影する連写モードと、撮影指示に応じて画像を１枚撮影する単写モードとを切り換えるモード切替手段を備え、単写モード時は、音声の取得を行わないことを特徴とする請求項１〜８のいずれか一項に記載の撮影装置。
【発明の詳細な説明】
【技術分野】
【０００１】
本発明は、撮影装置に係り、特に画像を連続的に撮影する連写機能を備えた撮影装置に関する。
【背景技術】
【０００２】
撮影時の処理モードとして、連写モードが知られている。連写モードは、１回のレリーズ操作で複数枚の画像を連続的に撮影するモードであり、主に動きのある被写体を撮影する場合に用いられる。すなわち、動きのある被写体は、１回の撮影で目的とする画像を得ることが難しいので、本来の目的とする画像の前後から連続的に画像を撮影することにより、撮影ミスを防止する。
【０００３】
このように、連写モードでは、１回のレリーズ操作で複数枚の画像が取得され、その中には目的とする画像以外の画像も含まれる。このため、連写モードで撮影した後には、必要な画像を選別する作業が必要となる。従来、この作業は、撮影者が撮影後に画像を１コマずつモニタで確認しながら行っていた。
【０００４】
近年、デジタルカメラは、高性能化の一途を辿っており、高速連写が可能になっている。このため、一回の撮影で大量の画像が取得されるようになり、撮影者が１コマずつ確認する従来の方法では、効率が悪いという問題があった。一方、撮影された画像をすべて記憶メディアに記録すると、記憶メディアの容量を圧迫するという問題があった。
【０００５】
そこで、特許文献１では、連写により得られた画像をモニタに表示させる際、十字ボタンの左／右のボタン操作で画像を１コマずつコマ送りさせて表示させる一方、十字ボタンの上／下のボタン操作で表示中の画像と大きく異なる画像を表示させることにより、効率よく目的とする画像を探し出せるようにしている。
【特許文献１】特開２００６−２３８２７７号公報
【発明の開示】
【発明が解決しようとする課題】
【０００６】
しかしながら、特許文献１の方法では、撮影開始の段階から被写体を追って撮影しているようなシーンでは、画像の変化が少ないため、有効に作用しないという欠点がある。
【０００７】
本発明は、このような事情に鑑みてなされたもので、連写した画像から目的とする画像を簡単に見つけ出すことができる撮影装置を提供する。
【課題を解決するための手段】
【０００８】
請求項１に係る発明は、前記目的を達成するために、撮影手段と表示手段とを備えた撮影装置において、撮影を指示する撮影指示手段と、前記撮影指示手段による撮影指示に応じて、前記撮影手段が連続的に画像を撮影するように制御する撮影制御手段と、連続撮影時に各コマの撮影ごとに周囲の音声を取得する音声取得手段と、撮影により得られた画像と、その画像が撮影された時に得られた音声とを関連付けて、記憶媒体に記録する記録制御手段と、画像の選別を指示する選別指示手段と、前記選別指示手段による選別の指示に応じて、一回の連続撮影で得られた一連の画像の中から音声のレベルが規定値以上の画像を選別する画像選別手段と、前記画像選別手段で選別された画像を前記表示手段に表示させる表示制御手段と、を備えたことを特徴とする撮影装置を提供する。
【０００９】
本発明によれば、連続撮影（連写）を実施すると、各コマの撮影と同時に周囲の音声がコマごとに取得される。取得されたコマごとの音声は、対応するコマの画像に関連付けられて、画像とともに記憶手段に記録される。一方、このように音声が関連付けられて記録された一連の連続画像は、選別指示手段によって選別の指示を与えると、音声のレベルが規定値以上の画像が画像選別手段によって選別され、表示手段に表示される。これにより、簡単に注目すべき画像を選別することができる。
【００１０】
請求項２に係る発明は、前記目的を達成するために、前記音声取得手段で取得された個々の画像の音声のレベル情報を生成する音声レベル情報生成手段を備え、前記記録制御手段は、前記音声レベル情報生成手段で生成された音声のレベル情報を対応する画像の画像データに付加して、前記記憶媒体に記録することを特徴とする請求項１に記載の撮影装置を提供する。
【００１１】
本発明によれば、コマごとに取得された音声から音声レベルを示す情報がコマごとに生成される。そして、生成されたレベル情報が、対応する画像の画像データに付加されて、記憶媒体に記録される。たとえば、Ｅｘｉｆ形式で画像を記録する場合において、Ｅｘｉｆのタグ（たとえば、メーカーノートタグ）に、その画像の音声レベル情報を書き込んで、画像を記録する。これにより、音声と画像とを簡単に関連付けられるとともに、記憶媒体の記憶容量を圧迫するのを防止することができる。なお、音声レベルを示す情報は、各コマにおける特定の瞬間（たとえば、露光開始時や露光終了時）の音声を取得し、この特定の瞬間の音声から生成してもよいし、また、各コマにおける最大の音声を検出し、検出された最大の音声から生成してもよい。
【００１２】
請求項３に係る発明は、前記目的を達成するために、前記音声取得手段は、被写体までの距離に応じて、音声の取得開始タイミングを可変させることを特徴とする請求項１又は２に記載の撮影装置を提供する。
【００１３】
本発明によれば、各コマの音声を取得する際、被写体までの距離に応じて、音声の取得開始タイミングが可変される。すなわち、音声が届く速さは、被写体までの距離に応じて変化するため、被写体までの距離に応じて、音声の取得開始タイミングを可変させる。これにより、各コマの音声を適切に取得することができる。
【００１４】
請求項４に係る発明は、前記目的を達成するために、前記表示制御手段は、前記画像選別手段で選別された画像とともに、選別された画像の音声のレベルを前記表示手段に表示させることを特徴とする請求項１〜３のいずれか一項に記載の撮影装置を提供する。
【００１５】
本発明によれば、選別された画像とともに、選別された画像の音声のレベルが表示手段に表示される。これにより、音声の状態を視覚で把握することができ、その後の選別処理を更に容易にすることができる。
【００１６】
請求項５に係る発明は、前記目的を達成するために、前記規定値を設定する規定値設定手段を備えたことを特徴とする請求項１〜４のいずれか一項に記載の撮影装置を提供する。
【００１７】
本発明によれば、選別の基準となる規定値をユーザが任意に設定することができる。これにより、撮影目的に応じて、より適切に画像を選別することができる。
【００１８】
請求項６に係る発明は、前記目的を達成するために、前記画像選別手段で選別された一連の画像の連続性を判別する連続性判別手段と、前記連続性判別手段で連続性がないと判別された一連の画像が連続性を持つように画像を補完する画像補完手段と、を備え、前記表示制御手段は、前記画像補完手段で補完された画像を前記表示手段に表示させることを特徴とする請求項１〜５のいずれか一項に記載の撮影装置を提供する。
【００１９】
本発明によれば、画像選別手段で選別された一連の画像が連続していない場合（途中で欠落している画像がある場合）、連続するように、欠落している画像が補完される。これにより、選別ミスを効果的に防止することができる。
【００２０】
請求項７に係る発明は、前記目的を達成するために、前記表示制御手段は、前記画像選別手段で選別された画像を前記表示手段に表示する際、各画像に関連付けられている音声のレベルに応じて、画像の大きさを変えて前記表示手段に表示させることを特徴とする請求項１〜６のいずれか一項に記載の撮影装置を提供する。
【００２１】
本発明によれば、画像選別手段で選別された画像を表示手段に表示する際、各画像に関連付けられている音声のレベルに応じて画像の大きさが変えられて表示手段に表示される。たとえば、音声レベルが大きい画像は大きく表示され、小さい画像は小さく表示される。これにより、注目すべき画像を簡単に判別することができる。
【００２２】
請求項８に係る発明は、前記目的を達成するために、前記画像選別手段で選別された画像の中から最も音声のレベルが高い画像を最高音画像として抽出する画像抽出手段を備え、前記表示制御手段は、前記画像選別手段で選別された画像を前記表示手段に表示する際、前記最高音画像を他の画像と区別可能な態様で前記表示手段に表示させることを特徴とする請求項１〜６のいずれか一項に記載の撮影装置を提供する。
【００２３】
本発明によれば、画像選別手段で選別された画像の中から最も音声のレベルが高い画像が最高音画像として抽出され、その最高音画像が他の選別画像と区別可能な態様で表示手段に表示される。これにより、注目すべき画像を簡単に判別することができる。
【００２４】
請求項９に係る発明は、前記目的を達成するために、撮影指示に応じて画像を連続的に撮影する連写モードと、撮影指示に応じて画像を１枚撮影する単写モードとを切り換えるモード切替手段を備え、単写モード時は、音声の取得を行わないことを特徴とする請求項１〜８のいずれか一項に記載の撮影装置を提供する。
【００２５】
本発明によれば、撮影装置の撮影モードとして、連写モードと単写モードとが備えられ、任意に切替可能に構成され、連写モード時にのみ音声の取得が行われる（単写モード時は、音声の取得が行われない）。これにより、無駄な処理を省くことができ、処理速度の向上、省電力化を図ることができる。
【発明の効果】
【００２６】
本発明によれば、連写した画像から目的とする画像を簡単に見つけ出すことができる。
【発明を実施するための最良の形態】
【００２７】
以下、添付図面を参照して、本発明に係る撮影装置の好ましい実施の形態について詳説する。
【００２８】
［第１の実施の形態］
図１は、本発明が適用されたデジタルカメラのシステム構成の一実施形態を示すブロック図である。
【００２９】
同図に示すように、本実施の形態のデジタルカメラ１０は、撮影光学系１２、撮像素子１４、撮像素子駆動部１６、アナログ信号処理部１８、Ａ／Ｄ変換器２０、メモリ制御部２２、メインメモリ２４、フラッシュメモリ２６、デジタル信号処理部２８、表示制御部３０、表示部３２、圧縮・伸張処理部３４、記憶メディア制御部３６、記憶メディア３８、音声信号処理部４０、集音部４２、音声出力部４４、積算部４６、フラッシュ発光部４８、フラッシュ調光部５０、ＣＰＵ５２、操作部５４等を備えて構成されている。
【００３０】
カメラ全体の動作は、ＣＰＵ５２によって統括制御されており、ＣＰＵ５２は、操作部５４からの入力に基づき、所定のプログラムに従ってカメラの各部を制御する。
【００３１】
フラッシュメモリ２６には、このＣＰＵ５２が実行するプログラムが格納されており、ＣＰＵ５２は、このフラッシュメモリ２６に格納されたプログラムをメインメモリ２４に展開し、メインメモリ２４を作業メモリとして使用しながら、各種処理を実行する。なお、フラッシュメモリ２６には、この他、カメラの制御に必要な各種データ（音声データの規定値等）や設定情報等が格納される。
【００３２】
操作部５４は、レリーズボタン、電源スイッチ、撮影／再生のモード切換スイッチ、メニューボタン、ＯＫボタン、キャンセルボタン、十字キー等を備えて構成されている。デジタルカメラ１０は、この操作部５４からの入力に応じて、各種処理が実行される。
【００３３】
撮影光学系１２は、ズームレンズ１２ａ、フォーカスレンズ１２ｂ、絞り１２ｃ、赤外線カットフィルタ１２ｄ、光学ローパスフィルタ１２ｅ等を備えて構成されている。
【００３４】
ズームレンズ１２ａは、変倍調整を行うレンズ群であり、ズームレンズ駆動部１３ａに駆動されて、光軸上を前後移動する。ＣＰＵ５２は、ズームレンズ駆動部１３ａを介してズームレンズ１２ａの移動を制御することにより、ズーミングを行う。
【００３５】
フォーカスレンズ１２ｂは、焦点調節を行うレンズ群であり、フォーカスレンズ駆動部１３ｂに駆動されて、光軸上を前後移動する。ＣＰＵ５２は、フォーカスレンズ駆動部１３ｂを介してフォーカスレンズ１２ｂの移動を制御することにより、フォーカシングを行う。
【００３６】
絞り１２ｃは、たとえば、虹彩絞りで構成され、絞り駆動部１３ｃに駆動されて、その開口量（絞り値）が変化（連続的又は段階的に変化）する。ＣＰＵ５２は、絞り駆動部１３ｃを介して絞り１２ｃの開口量を制御することにより、撮像素子１４への入射光量を制御する。
【００３７】
撮像素子１４は、所定のカラーフィルタ配列（たとえば、ベイヤ配列）のカラーＣＣＤで構成されている。撮影光学系１２を介して撮像素子１４の受光面に入射した光は、その受光面に二次元的に配列された多数のフォトダイオードによって入射光量に応じた量の信号電荷に変換される。各フォトダイオードに蓄積された信号電荷は、撮像素子駆動部１６から加えられるタイミング信号に従って読み出され、電圧信号（画像信号）として撮像素子１４から順次出力される。
【００３８】
なお、この撮像素子１４には、シャッタゲートとシャッタドレインが備えられており、シャッタゲートにシャッタゲートパルスを印加することにより、各フォトダイオードに蓄積された信号電荷をシャッタドレインに掃き出すことができる。ＣＰＵ５２は、撮像素子駆動部１６を介してシャッタゲートへのシャッタゲートパルスの印加を制御することにより、各フォトダイオードに蓄積される信号電荷の電荷蓄積時間（いわゆる電子シャッタによるシャッタ速度）を制御する。
【００３９】
なお、撮像素子１４には、この他、ハニカム画素配列のＣＣＤや、ＣＭＯＳ等の他の構成の撮像素子を用いることもできる。
【００４０】
アナログ信号処理部１８は、ＣＤＳ回路、アナログアンプを含んで構成されている。ＣＤＳ回路は、撮像素子１４から出力された信号を相関二重サンプリング処理する。また、アナログアンプは、撮影感度に応じて設定されたゲインによってＣＤＳ回路から出力される信号を増幅する。
【００４１】
Ａ／Ｄ変換器２０は、アナログ信号処理部１８から出力されたアナログの画像信号をデジタルの画像信号に変換する。
【００４２】
メモリ制御部２２は、ＣＰＵ５２の指示に従い、メインメモリ２４及びフラッシュメモリ２６へのデータの読み書きを制御する。メモリ制御部２２は、ＣＰＵ５２からの指示に従い、Ａ／Ｄ変換器２０から出力された１コマ分の画像信号をメインメモリ２４に格納する。
【００４３】
デジタル信号処理部２８は、ＣＰＵ５２の指示に従い、メインメモリ２４に格納された画像信号（Ｒ、Ｇ、ＢのＲＡＷデータ）を取り込み、所定の信号処理を施して、輝度信号（Ｙ）と色差信号（Ｃｒ、Ｃｂ）とからなる画像信号（ＹＣ信号（ＹＣデータ））を生成する。生成された画像信号は、メインメモリ２４に格納される。
【００４４】
なお、表示部３２にスルー画像を表示させる場合は、撮像素子１４で連続的に画像を撮像し、得られた画像信号を連続的に処理して、連続的にＹＣ信号を生成する。生成されたＹＣ信号は、ＣＰＵ５２の制御の下、メインメモリ２４を介して表示制御部３０に加えられる。表示制御部３０は、入力されたＹＣ信号を表示用の信号形式に変換して、表示部３２に出力する。これにより、表示部３２にスルー画像が表示される。
【００４５】
また、画像を記録する場合は、レリーズボタンからの撮影指示（レリーズボタンの全押し（Ｓ２ＯＮ））に応じて、撮像素子１４で記録用の画像を撮像し、得られた画像信号を処理して、記録用のＹＣ信号を生成する。生成されたＹＣ信号は、ＣＰＵ５２の制御の下、メインメモリ２４を介して圧縮・伸張処理部３４に加えられる。圧縮・伸張処理部３４は、ＣＰＵ５２の指示に従って、入力されたＹＣ信号を所定の圧縮フォーマット（たとえば、ＪＰＥＧ）で圧縮する。圧縮された画像信号は、メインメモリ２４に格納され、所定のファイルフォーマット（たとえば、Ｅｘｉｆ）の画像ファイルとされたのち、記憶メディア制御部３６を介して記憶メディア３８に格納される。
【００４６】
なお、ＹＣデータは、圧縮せずに記録することもでき、この場合は、圧縮処理を経ずに、生成されたＹＣデータが、所定のファイルフォーマットの画像ファイルとされて、記憶メディア３８に格納される。
【００４７】
同様に、撮像素子１４から出力されて、デジタル化されたＲ、Ｇ、Ｂの画像信号（いわゆるＲＡＷデータ）をそのまま記録することもでき、この場合は、ＹＣ信号への変換処理を行わずに、所定のファイルフォーマットの画像ファイルとして、記憶メディア３８に格納される。
【００４８】
このようにして記憶メディア３８に格納された画像は、再生の指示に応じて記憶メディア３８から読み出され、圧縮・伸張処理部３４で非圧縮のＹＣ信号とされたのち（再生対象画像の画像データが圧縮画像データの場合）、表示制御部３０を介して表示部３２に出力される。これにより、記憶メディア３８に記録された画像が表示部３２に再生表示される。
【００４９】
なお、画像再生は、カメラのモードを再生モードにすることにより行われ、カメラのモードを再生モードに設定すると、記憶メディア３８に最後に記録された画像が記憶メディア３８から読み出され、表示部３２に再生表示される。また、操作部５４にて、コマ送り／コマ戻しの操作（たとえば、十字キーの右キー（コマ送り）／左キー（コマ戻し）の操作）を行うことにより、記憶メディア３８に記録されている画像が、ファイル番号順に再生処理される。
【００５０】
表示部３２は、たとえば、カラーＬＣＤで構成される。表示制御部３０は、ＣＰＵ５２の指示に応じて、表示部３２の表示を制御する。
【００５１】
音声信号処理部４０は、ＣＰＵ５２による制御の下、集音部４２で取得された音声信号に所定の信号処理を施して、所定フォーマットの音声データを生成する。また、再生対象の音声データに所定の信号処理を施して、音声信号出力部４４から出力可能な信号形式に変換する。
【００５２】
集音部４２は、マイク、マイクアンプ、Ａ／Ｄ変換器等を備えて構成され、ＣＰＵ５２の指示に応じて、周囲の音声を集音する。後述するように、本実施の形態のデジタルカメラでは、連写時に周囲の音声が取得される。周囲の音声は、マイクで集音され、マイクアンプで増幅されたのち、Ａ／Ｄ変換器でデジタル信号に変換されて、音声信号処理部４０に出力される。音声信号処理部４０は、集音部４２から出力された音声信号に所要の信号処理を施して、記録用の音声データを生成する。なお、この集音部４２は、動画撮影時や音声メモ時にも使用される。
【００５３】
音声出力部４４は、スピーカ、スピーカアンプ、Ｄ／Ａ変換器等を備えて構成され、ＣＰＵ５２の指示に応じて、音声を出力する。音声データは、音声信号処理部４０で所定の信号処理が施されたのち、音声出力部４４に加えられ、スピーカから出力される。音声出力部４４に加えられた音声データは、Ｄ／Ａ変換器でアナログの音声信号に変換され、スピーカアンプで増幅されたのち、スピーカから出力される。
【００５４】
積算部４６は、ＣＰＵ５２の指示に従い、メインメモリ２４に格納された画像信号（Ｒ、Ｇ、ＢのＲＡＷデータ）からＡＥ制御に必要なエリアごとの画像信号の積算値を算出する。すなわち、１画面を複数のエリア（たとえば、８×８のエリア）に分割し、分割したエリアごとに画像信号の積算値（Ｒ、Ｇ、Ｂごとの積算値）を算出する。
【００５５】
積算部４６で算出されたエリアごとの積算値の情報は、ＣＰＵ５２に出力される。ＣＰＵ５２は、算出された積算値の情報と、画像信号取得時の絞り値、シャッタ速度の情報等に基づいて、ＡＥ制御に必要なＥＶ値を算出する。そして、求めたＥＶ値に基づいて、本撮影時の露出を決定する。たとえば、あらかじめ用意されたプログラム線図を利用して、求めたＥＶ値から本撮影時の露出（絞り、シャッタ速度）を決定する。
【００５６】
また、積算部４６で算出されたエリアごとの積算値の情報は、デジタル信号処理部２８に出力される。デジタル信号処理部２８は、算出された積算値の情報に基づいて、画像のホワイトバランス補正に必要なホワイトバランスゲインを算出する。
【００５７】
フラッシュ発光部４８は、フラッシュ、及び、その発光制御回路を含み、ＣＰＵ５２の指示に従って、フラッシュ光を発光させる。
【００５８】
フラッシュ調光部５０は、調光センサ、及び、調光制御回路を備えて構成されており、ＣＰＵ５２の指示に応じて、所要の調光制御を実行する。フラッシュ撮影時にフラッシュ発光部４８から発光されたフラッシュ光は、被写体で反射し、調光センサで受光される。調光制御回路は、調光センサで受光されたフラッシュの反射光が、あらかじめ設定された規定光量に達すると、ＣＰＵ５２に発光停止信号を出力する。ＣＰＵ５２は、この発光停止信号を受けて、フラッシュ発光部４８によるフラッシュ光の発光を停止させる。
【００５９】
次に、以上のように構成された本実施の形態のデジタルカメラによる撮影及び再生の処理動作について説明する。
【００６０】
まず、撮影時における処理動作について説明する。
【００６１】
撮影はカメラのモードを撮影モードに設定することにより行われる。撮影モードの設定は、モード切換スイッチによって行われる。モード切換スイッチは、撮影モードと再生モードとを択一的に切り換えるスイッチであり、このモード切換スイッチを撮影モード側に設定することにより、カメラのモードが撮影モードに設定される。
【００６２】
撮影モードに設定されたデジタルカメラは、レリーズボタンを押下（全押し（Ｓ２ＯＮ））することにより、本撮影が実行される。
【００６３】
ここで、本実施の形態のデジタルカメラ１０には、撮影時の処理モード（シャッタモード）として、１回のレリーズ操作（レリーズボタンの押下操作）で１枚の画像を撮影する単写モードと、１回のレリーズ操作で複数枚の画像を連続的に撮影する連写モードの２つのモードが備えられており、設定されたシャッタモードで撮影処理が実行される。
【００６４】
シャッタモードの選択は、表示部３２に表示されるメニュー画面で行われる。メニュー画面は、メニューボタンを押下することにより、表示部３２に表示される。本実施の形態のデジタルカメラでは、このメニュー画面に表示されるメニュー項目の一つにシャッタモードの設定項目が用意されており、このシャッタモードの設定項目を選択すると、単写モードと連写モードとを択一的に選択できるようにされている。
【００６５】
なお、シャッタモードの選択方法は、これに限定されるものではなく、たとえば、専用の切り換えスイッチによって選択するようにしてもよい。
【００６６】
まず、単写モード時の撮影処理の手順について説明する。
【００６７】
上記のように、単写モードは、１回のレリーズ操作で１枚の画像を撮影するモードである。
【００６８】
図２は、単写モード時の撮影処理の手順を示すフローチャートである。
【００６９】
まず、ＣＰＵ５２は、レリーズボタンがＯＮ（Ｓ２ＯＮ）されたか否かを判定する（ステップＳ１０）。すなわち、レリーズボタンが押下されたか否かを判定する。
【００７０】
レリーズボタンが押下されると、ＣＰＵ５２は１枚の画像の取り込み処理を行う（ステップＳ１１）。すなわち、撮像素子１４を露光し、記録用の画像信号の取り込みを行う。
【００７１】
取り込まれた画像信号は、所要の信号処理が施されたのち、所定フォーマットの画像ファイルとして、記憶メディア３８に記録される。
【００７２】
なお、単写モードであるから、画像の取り込みは１枚しか行われず、レリーズボタンを押下し続けても、以後の画像の取り込みは行われない。
【００７３】
次に、連写モード時の撮影処理の手順について説明する。
【００７４】
上記のように、連写モードは、１回のレリーズ操作で複数枚の画像を連続して撮影するモードである。撮影は、レリーズボタンを押下している間、継続して行われ、その間、一定の間隔で連続的に画像の取り込みが行われる。そして、本実施の形態のデジタルカメラでは、各コマの撮影と同時に周囲の音声の録音が行われる。
【００７５】
図３は、連写モード時の撮影処理の手順を示すフローチャートである。
【００７６】
まず、ＣＰＵ５２は、レリーズボタンがＯＮ（Ｓ２ＯＮ）されたか否かを判定する（ステップＳ２０）。すなわち、レリーズボタンが押下（全押し（Ｓ２ＯＮ））されたか否かを判定する。
【００７７】
レリーズボタンが押下されると、ＣＰＵ５２は１枚の画像の取り込み処理を行う（ステップＳ２１）。すなわち、撮像素子１４を露光し、記録用の画像信号の取り込みを行う。
【００７８】
そして、各コマの撮影と同時に、音声の取り込みを行う（ステップＳ２２）。すなわち、集音部４２から音声信号の取り込みを行う。
【００７９】
上記のように、連写モードでは、レリーズボタンが押下されている限り、継続して撮影が行われる。ＣＰＵ５２は、レリーズボタンがＯＦＦされたか否かを判定し（ステップＳ２３）、ＯＦＦされていないと判定すると、ステップＳ２１に戻り、繰り返し画像の取り込みと音声の取り込みを行う。そして、レリーズボタンの押下が解除されたと判定すると、撮影処理を終了する。
【００８０】
取り込まれた画像信号は、所要の信号処理が施されたのち、所定フォーマットの画像ファイルとして、記憶メディア３８に記録される。また、取り込まれた音声信号は、所要の信号処理が施されたのち、所定フォーマットの音声ファイルとして、記憶メディア３８に記録される。
【００８１】
この際、音声ファイルは、その音声が取得されたコマの画像の画像ファイルに関連付けられて、記憶メディア３８に記録される。本例では、画像ファイルと音声ファイルにそれぞれ固有の拡張子を付与し、対応する画像ファイルと音声ファイルに同じファイル名が付与されて、記憶メディア３８に記録される。たとえば、画像ファイルには「.IMG」、音声ファイルには「.AUD」の拡張子を付与し、対応する画像ファイルと音声ファイルに同じファイル名が付与される。
【００８２】
なお、上記の拡張子は一例であり、画像ファイルと音声ファイルとを区別できるものであればよい。たとえば、画像ファイルがＥｘｉｆ形式で生成される場合は、拡張子を「.JPG」とし、音声ファイルが、ＭＰ３形式で生成される場合は、拡張子を「.MP3」とすることができる。
【００８３】
画像ファイルのファイル名には、たとえば、「DSCF****.IMG」というファイル名が付与され、「****」の部分は、０００１〜９９９９までの数値（ファイル番号）が、撮影された順に連続して付与される。したがって、たとえば、最初に撮影された画像の画像ファイルには、「DSCF0001.IMG」のファイル名が付与され、次に撮影された画像の画像ファイルには、「DSCF0002.IMG」のファイル名が付与される。また、画像の画像ファイル「DSCF0001.IMG」に対応する音声ファイルには、「DSCF0001.AUD」のファイル名が付与され、画像の画像ファイル「DSCF0002.IMG」に対応する音声ファイルには、「DSCF0002.AUD」のファイル名が付与される。
【００８４】
これにより、連続して撮影された各コマの画像の画像ファイルと、対応する音声の音声ファイルとが、互いに関連付けられて記憶メディア３８に記録される。
【００８５】
図４は、画像の撮影タイミングと音声の取得タイミングの関係を示すタイミングチャートである。
【００８６】
同図に示すように、音声データの取り込みは、各コマの撮影に同期して行われる。すなわち、１コマ撮影されるたびに１コマ分の音声の取り込みが行われる。
【００８７】
各コマの撮影は、一定の間隔で出力される撮影同期信号に同期して行われ、各コマに対応する音声の取り込みも、この撮影同期信号に同期して行われる。すなわち、撮影同期信号に同期して撮影（具体的には露光）が開始され、これと同時に音声の取り込みが開始される。音声の取り込みは、次のコマの撮影が行われるまで継続して行われる。そして、次のコマの撮影開始と同時に新たに音声の取り込みも開始される。
【００８８】
以上のように、連写モード時は、レリーズボタンを押下している間、一定の間隔で連続的に画像の取り込みが行われ、これに連動して連続して音声の取り込みが行われる。
【００８９】
なお、１回の連写で得られた一群の画像は、他の画像と識別可能に記録される。本実施の形態のデジタルカメラでは、各画像ファイルのヘッダ部分にタグ情報として、連写画像であることが記録され、他の画像（他の一群の連写画像を含む）と識別可能に記録される。
【００９０】
連写画像の画像群を区別する方法は、これに限定されるものではなく、この他、たとえば、一連の画像をフォルダにまとめて記録するようにしてもよいし、互いに関連するファイル名を付与して、一連の画像群を区別できるようにしてもよい。また、別途管理ファイルを生成し、この管理ファイルにより、連写により得られた一連の画像を識別できるようにしてもよい。
【００９１】
次に、以上のようにして撮影、記録された画像の再生処理の手順について説明する。
【００９２】
撮影された画像の再生は、カメラのモードを再生モードに設定することにより行われる。上記のように、再生モードの設定は、モード切換スイッチによって行われ、モード切換スイッチを再生モード側に切り換えることにより、カメラのモードが再生モードに設定される。
【００９３】
さて、上記のように、本実施の形態のデジタルカメラで撮影される画像には、単写モードで撮影された画像（単写画像）と連写モードで撮影された画像（連写画像）の２種類の画像が存在する。
【００９４】
単写モードで撮影された画像は、通常の再生処理、すなわち、そのまま表示部３２に再生表示される。
【００９５】
一方、連写モードで撮影された画像は、所定の選別処理が施され、注目画像として選別された画像のみが、表示部３２に再生表示される。
【００９６】
ここで、注目画像として選別される画像は、音声レベルが規定値以上の画像であり、各コマに関連付けられた音声データに基づいて判定される。
【００９７】
図５は、本実施の形態のデジタルカメラにおける再生処理の手順を示すフローチャートである。
【００９８】
カメラのモードが再生モードに設定されると、まず、最後に撮影された画像が再生対象に設定される。
【００９９】
ＣＰＵ５２は、再生対象に設定された画像が、連写画像か否かを判定する（ステップＳ３０）。本実施の形態のデジタルカメラでは、連写画像に対して所定の識別情報を記録（画像ファイルのヘッダ部にタグ情報として記録）しているので、この識別情報を利用して、再生対象に設定された画像が連写画像か否かを判定する。
【０１００】
なお、他の方式で識別可能に記録した場合は、その記録した方式に応じて、再生対象画像が連写画像か否かを判定する。
【０１０１】
ここで、単写画像と判定されると、通常の再生処理が行われる（ステップＳ３１）。すなわち、記憶メディア３８から再生対象画像データを読み出し、所要の伸張処理を施したのち、表示制御部３０を介して表示部３２に出力する。これにより、画像が表示部３２に再生表示される。
【０１０２】
一方、連写画像と判定されると、所定の選別処理が行われる。すなわち、１回のレリーズ操作で取得された一連の画像の中から音声レベル（音声の信号の強さ）が規定値以上の画像が注目画像として選別される。
【０１０３】
図６は、選別処理の手順を示すフローチャートである。
【０１０４】
まず、ＣＰＵ５２は、変数ｎをｎ＝１として（ステップＳ４０）、連写ｎコマ目（最初なので１コマ目）の画像の音声データを読み出す（ステップＳ４１）。
【０１０５】
次に、読み出した音声データの音声レベルの最大値を検出し、あらかじめ設定された規定値とを比較する。そして、音声レベルの最大値が、規定値を超えているか否かを判定する（ステップＳ４２）。
【０１０６】
ここで、音声レベルの最大値が規定値を超えていると判定すると、その画像を注目画像として選別する（ステップＳ４３）。
【０１０７】
一方、音声レベルの最大値が規定値を超えていないと判定すると、その画像は注目画像として選別せず、次のステップに進む。
【０１０８】
この後、ＣＰＵ５２は、変数ｎをｎ＝ｎ＋１とし（ステップＳ４４）、連写画像として撮影された次の画像の有無を判定する（ステップＳ４５）。
【０１０９】
そして、次の画像があると判定した場合は、ステップＳ４１に戻り、次の画像の判定処理を実施する。一方、次の画像がないと判定すると、全画像の選別が完了したと判断し、処理を終了する。
【０１１０】
このように、選別処理は、各コマの画像に関連付けられて記録されている音声データを利用して行われ、その画像に関連付けられて記録されている音声データの音声レベルが規定値を超えている注目画像として選別する。
【０１１１】
ここで、選別処理の一例を説明する。図７は、ボールが床に落ちて跳ね返る瞬間をとらえた連写画像である。各コマの画像の左上の番号は、ファイル番号であり、画像内の数値（画像右肩の数値）は、音声レベルの最大値である（１６進数標記）。ボールは、床に当たった瞬間に音が発生する。規定値を[９９]16とすると、ファイル番号００１２〜００２０の画像が注目画像として選別される。
【０１１２】
選別処理が完了すると、ＣＰＵ５２は、その選別結果を表示部３２に表示する（ステップＳ３３）。
【０１１３】
図８は、選別結果の表示例を示す図である。同図に示すように、注目画像として選別された画像が、表示部３２に一覧表示される。
【０１１４】
なお、同図に示す例は、９枚の画像が選別された場合を示している。この場合、選別された９枚の画像が、縦横３×３の表示欄に一覧表示される。
【０１１５】
なお、図９（ａ）に示すように、４枚の画像が選別された場合は、縦横２×２の表示欄に選別された画像が一覧表示される。また、図９（ｂ）に示すように、８枚の画像が選別された場合は、縦横３×３の表示欄に選別された画像が一覧表示され、不足分は空欄とされる。すなわち、選別された画像は、その数に応じて、個々の画像サイズが拡縮調整されて、表示部３２に一覧表示される。
【０１１６】
また、一画面での最大表示枚数は９枚とされ、９枚を超える画像が選別された場合は、図１０に示すように、複数回に分けて表示される。これにより、大量の画像が選別された場合であっても、各画像を効率よく確認することができる。
【０１１７】
また、このように一覧表示された個々の選別画像は、ユーザの指示に応じて拡大表示される。すなわち、一覧表示された画像の中の一つを選択すると、その画像のみが表示部３２に拡大して表示される。画像の選択は選択枠で行われる。選択枠は十字キーのキー操作で移動する。図１１（ａ）に示すように、ユーザは、拡大させる画像の位置に選択枠を移動させ、ＯＫボタンを押下して、拡大させる画像を選択する。ＣＰＵ５２は、この拡大指示に応じて、図１１（ｂ）に示すように、該当する画像を表示部３２に拡大表示させる。一覧表示への復帰は、キャンセルボタンを押下することにより行われ、画像拡大中にキャンセルボタンの押下が検出されると、ＣＰＵ５２は、表示部３２に選別画像を一覧表示させる。
【０１１８】
このように、再生対象の画像が、連写画像の場合は、所定の選別処理が行われ、選別された画像のみが表示部３２に表示される。
【０１１９】
なお、選別された画像の一覧表示の終了は、キャンセルボタンを押下することにより行われ、キャンセルボタンが押下されると、次の画像（連写画像として撮影された一連の画像の次の画像）の再生処理が行われる。
【０１２０】
ＣＰＵ５２は、操作部５４からの入力に基づいて、次又は１コマ前の画像の再生が指示されたか否かを判定する（ステップＳ３４）。なお、単写画像の場合は、コマ送り又はコマ戻しが指示された場合、次又は１コマ前の画像の再生が指示されたものと判定する。コマ送り、コマ戻しの指示は、たとえば、十字キーの左右のキー操作で行われ、このキー操作の有無に基づいて、ＣＰＵ５２はコマ送り又はコマ戻しが指示されたか否かを判定する。
【０１２１】
次又は１コマ前の画像の再生が指示されたと判定すると、ＣＰＵ５２は、ステップ３０に戻り、上述したステップＳ３０以降の処理を再度実行する。
【０１２２】
一方、次又は１コマ前の画像の再生が指示されていないと判定すると、ＣＰＵ５２は、再生モードの終了が指示されたか否かを判定する（ステップＳ３５）。そして、再生モードの終了が指示されたと判定すると、再生処理を終了する。
【０１２３】
このように、本実施の形態のデジタルカメラでは、連写時に各コマごと撮影に連動して、音声が記録される。そして、画像再生時には、この画像とともに記録された音声を利用し、音声レベルが一定以上の画像のみが選別されて再生される。これにより、多数撮影される連写画像の中から注目すべき画像を容易に見つけ出すことができ、カメラの使い勝手を向上させることができる。
【０１２４】
なお、上記実施の形態では、連写モード時、レリーズボタンを押下している間、継続して画像を撮影するように構成しているが、上限値を設定し、レリーズボタンを押下し続けても、それ以上は撮影されないように構成してもよい。また、その上限値をユーザが任意に設定できるようにしてもよい。
【０１２５】
また、連写時における撮影間隔もユーザが任意に設定できるようにしてもよい。
【０１２６】
また、上記実施の形態では、連写画像の再生時、自動的に選別処理を行って、選別された画像のみを再生表示するようにしているが、選別処理を行う前に、ユーザに選別処理の実行の要否を問い合わせ、処理の実行が指示された場合にのみ、選別処理を行うようにしてもよい。
【０１２７】
また、選別処理の実行を指示する指示手段を設け（たとえば、再生メニューの一つとして選別処理の実行が指示できるように構成する）、当該指示手段による指示に応じて、選別処理を実行するようにしてもよい。たとえば、連写画像の１枚を再生中に選別処理の実行を指示する指示手段で選別処理の実行を指示すると、選別処理が行われるようにすることができる。
【０１２８】
また、連写撮影の終了後、ただちに選別処理を実行し、選別結果を表示部３２に表示するようにしてもよい。
【０１２９】
また、上記実施の形態では、選別された画像の１回の表示枚数を最大９枚としているが、１回の表示枚数の上限は、これに限定されるものではない。カメラに搭載する表示部の画面サイズ等に応じて最適な表示枚数に設定することが好ましい。また、この枚数の設定手段を設け、ユーザが任意に設定できるようにしてもよい。
【０１３０】
また、表示レイアウト等についても、画面サイズ等に応じて適宜最適なレイアウトに設定することが好ましい。たとえば、１０枚の画像に対して、縦横２×５で表示させたり、８枚の画像に対して、縦横２×４で表示させたりすることができる。
【０１３１】
また、上記実施の形態では、音声を取得する際、コマごとに個別に音声を取得する構成としているが、音声は連写開始から連写終了まで連続して取得する構成としてもよい。この場合、一つの音声ファイルが生成されるが、撮影は一定の間隔で行われているので、コマごとの音声データは一義的に関連付けることができる。したがって、音声ファイルを解析し、音声レベルが規定値を超えた期間を検出すれば、対応するコマの画像を検出することができる。
【０１３２】
また、音声データの記録フォーマットについても、特に限定されるものではなく、ＡＳＣＩＩでもｂｉｎａｒｙでもよい。
【０１３３】
なお、画像ファイルは、汎用性を持たせるため、Ｅｘｉｆ形式で生成し、ＤＣｆフォーマットに従って記録することが好ましいが、必ずしもこれに従う必要はない。
【０１３４】
また、画像及び音声の記録処理（画像ファイル及び音声ファイルの生成処理を含む）は、撮影と並列して行ってもよいし、また、メモリに一時的に格納しておき、撮影終了後に一括して記録するようにしてもよい。
【０１３５】
また、上記実施の形態では、画像の選別時に各コマの画像の音声レベルの最大値を検出し、これを規定値と比較して選別するようにしているが、規定値との比較対象は、これに限定されるものではなく、音声レベルの平均値を算出し、これを規定値と比較して選別するようにすることもできる。また、特定の瞬間（露光開始時、露光終了時）の音声レベルを抽出し、これを規定値と比較して選別するようにすることもできる。
【０１３６】
また、上記実施の形態では、各コマの撮影開始と同時に各コマの音声の取り込みも開始させているが、被写体までの距離に応じて、各コマの音声の取り込み開始のタイミングを可変させることが好ましい。すなわち、被写体までの距離が変わると、それに応じて音声の到達時間も変わるので、被写体までの距離に応じて、各コマの音声の取り込み開始のタイミングを可変させる。これにより、より適切に各コマの音声を取得することができる。
【０１３７】
具体的には、図１２に示すように、被写体までの距離をＤ[m]としたとき、Δｔ＝Ｄ／Ｖ[s]だけ、各コマの音声の取り込み開始のタイミングを各コマの撮影開始のタイミングから遅らせる（Ｖ：音速（Ｖ＝３４０[m/s]））。
【０１３８】
なお、この場合において、被写体までの距離Ｄの情報は、カメラに別途測距手段を備えて、計測により取得するようにしてもよいし、また、ＡＦ制御の結果得られるフォーカスレンズ１２ｂの位置情報から演算により取得するようにしてもよい。また、撮像素子１４から得られる画像を解析して、演算により取得するようにしてもよい。
【０１３９】
また、音速Ｖは、周囲環境（温度や高度等）に応じて変化するので、周囲環境を考慮して、適宜補正することが更に好ましい。すなわち、音速Ｖは、気体の比熱比と気体定数、温度に依存し 、音速Ｖ=√（γＲＴ） と表わされるので（γは気体の比熱比、Ｒは気体定数、Ｔは気体温度）、これらを考慮して、適宜補正して用いることが好ましい。この場合、カメラに温度計等を備えて、これらの情報を取得できるようにする。あるいは、ユーザが、これらの情報を入力できるようにする。
【０１４０】
［第２の実施の形態］
次に、本発明に係る撮影装置の第２の実施の形態について説明する。  
【０１４１】
上記第１の実施の形態では、連写モード時に各コマごとの音声を取得する際、各コマの画像が撮影されている間の音声を取得している（より詳しくは各コマの画像の撮影が開始されてから次のコマの画像が撮影されるまでの間の音声を取得している。）。
【０１４２】
本実施の形態では、各コマの画像が撮影されている間の特定の瞬間の音声を取得し、各コマの画像に関連付けて記録する。具体的には、各コマの画像の撮影が開始される瞬間の音声を取得し、その音声のレベル情報を画像のヘッダ部にタグ情報として記録する。
【０１４３】
なお、カメラの構成及び単写モード時の処理は、上述した第１の実施の形態のデジタルカメラと同じなので、ここでは、連写モード時の撮影処理の手順についてのみ説明する。
【０１４４】
図１３は、第２の実施の形態のデジタルカメラにおける連写モード時の撮影処理の手順を示すフローチャートである。
【０１４５】
まず、ＣＰＵ５２は、レリーズボタンがＯＮされたか否かを判定する（ステップＳ５０）。すなわち、レリーズボタンが押下されたか否かを判定する。
【０１４６】
レリーズボタンが押下されると、撮影同期信号に同期して一定の間隔で出力される撮影トリガが検出されたか否かを判定する（ステップＳ５１）。
【０１４７】
そして、撮影トリガが検出されたと判定すると、ＣＰＵ５２は１枚の画像の取り込み処理を行う（ステップＳ５２）。また、これと同時に音声の取り込みを行う（ステップＳ５３）。
【０１４８】
この後、ＣＰＵ５２は、レリーズボタンがＯＦＦされたか否かを判定し（ステップＳ５４）、ＯＦＦされていないと判定すると、ステップＳ５１に戻り、繰り返し画像の取り込みと音声の取り込みを行う。そして、レリーズボタンの押下が解除されたと判定すると、撮影処理を終了する。
【０１４９】
図１４は、画像の撮影タイミングと音声の取得タイミングの関係を示すタイミングチャートである。
【０１５０】
同図に示すように、音声の取り込みは、各コマの撮影開始に同期して行われる。すなわち、各コマの撮影開始（露光開始）と同時に音声の取り込みが行われ、撮影を開始した瞬間（露光を開始した瞬間）の音声が集音部４２で集音される。
【０１５１】
取り込まれた各画像データと各音声データは、メインメモリ２４に一時的に格納され、撮影終了後、所要の信号処理が施されて、記憶メディア３８に記録される。
【０１５２】
図１５は、記録処理の手順を示すフローチャートである。
【０１５３】
まず、画像データを所定の圧縮フォーマットに従って圧縮する（ステップＳ６０）。本例では、ＪＰＥＧで圧縮する。
【０１５４】
次に、音声データを読み出し、その音声レベルを数値化した情報（レベル情報）を生成する（ステップＳ６１）。
【０１５５】
次に、画像ファイルを生成する（ステップＳ６２）。本例では、Ｅｘｉｆフォーマットの画像ファイルを生成するものとし、必要なＥｘｉｆ情報を生成して、画像ファイルを生成する。
【０１５６】
ここで、Ｅｉｘｆフォーマットの画像ファイルは、そのヘッダ部分に所定の管理情報をタグ形式で記録することができ、そのメーカーノートタグには、任意の情報を記録することができる。
【０１５７】
本実施の形態のデジタルカメラでは、このＥｘｉｆファイルのメーカーノートタグに音声のレベル情報を記録する。
【０１５８】
これにより、画像と、その音声情報とを一つのファイルで管理することができる。
【０１５９】
そして、このように生成された画像ファイルを記憶メディア３８に記録する（ステップＳ６３）。
【０１６０】
以上一連の記録処理を連写モードで撮影されたすべての画像データに対して実施する。
【０１６１】
なお、上記の例では、撮影時に取得した音声データからレベル情報を生成する構成としているが、撮影時に取得した音声信号をＡ／Ｄ変換したデータ（８ビット又は１０ビットのデータ（１ないし２バイトデータ））をレベル情報として、メーカーノートタグに記録するようにしてもよい。この場合、レベル情報の生成処理が不要になるので、処理速度を向上させることができる。
【０１６２】
また、上記の例では、撮影終了後に一括して、画像データ及び音声データを処理する構成としているが、撮影と平行して、逐次処理する構成とすることもできる。
【０１６３】
また、上記の例では、撮影開始のタイミングで音声データを取得する構成としているが、音声データを取得するタイミングは、これに限定されるものではない。各コマの撮影中に取得できればよい。
【０１６４】
なお、各コマの撮影開始のタイミングで各コマの音声を取得する場合は、被写体までの距離に応じて、各コマの音声の取り込みのタイミングを可変させることが好ましい。たとえば、図１６に示すように、被写体までの距離をＤ[m]としたとき、Δｔ＝Ｄ／Ｖ[s]だけ、各コマの音声の取り込みのタイミングを各コマの撮影開始のタイミングから遅らせる。
【０１６５】
また、上記の例では、各コマにおける特定の瞬間の音声を取得する構成としているが、上記第１の実施の形態と同様に各コマの撮影中の音声を連続して取得する構成としてもよい。この場合、取得した音声のレベルの平均値を求め、求めた平均値を数値化したものをレベル情報として使用するようにしてもよい。また、取得した音声のレベルの最大値を検出し、検出した最大値を数値化したものをレベル情報として使用するようにしてもよい。
【０１６６】
また、上記の例では、レベル情報を画像ファイルのヘッダ部に記録する構成としているが、画像ファイルとは別ファイルとして、画像ファイルに関連付けて、記憶メディア３８に記録するようにしてもよい。同様に、別途管理ファイルを生成し、その管理ファイルに画像に関連付けてレベル情報を記録するようにしてもよい。
【０１６７】
次に、上記のようにして記録された画像の再生処理の手順について説明する。
【０１６８】
なお、再生対象画像が連写画像以外の時の再生処理の手順は、上述した第１の実施の形態のデジタルカメラと同じなので、ここでは、再生対象画像が連写画像のとき再生処理の手順について説明する。
【０１６９】
再生対象画像が、連写画像の場合、所定の選別処理が実施される。この点は、上述した第１の実施の形態のデジタルカメラと同じである。
【０１７０】
本実施の形態のデジタルカメラでは、音声情報（レベル情報）が、画像ファイルに記録されている。
【０１７１】
そこで、本実施の形態のデジタルカメラでは、この画像ファイルに記録されたレベル情報を利用して、画像の選別処理を行う。すなわち、画像ファイルに記録されたレベル情報が、規定値以上の画像を注目画像として選別する。この処理を連写画像として撮影された一群の画像すべてに対して行う。
【０１７２】
そして、選別された結果を表示部３２に一覧表示させる。なお、表示方法は、上述した第１の実施の形態と同じである。
【０１７３】
このように、本実施の形態のデジタルカメラにおいても、音声情報に基づいて、画像を選別するので、連写により得られた大量の画像の中から注目すべき画像を簡単に見つけ出すことができる。
【０１７４】
また、本実施の形態のデジタルカメラによれば、音声データを別ファイルで記録する必要がないので、ファイルの管理が容易になるとともに、記憶メディア３８を効率よく使用することができる。
【０１７５】
［第３の実施の形態］
次に、本発明に係る撮影装置の第３の実施の形態について説明する。  
【０１７６】
本実施の形態のデジタルカメラでは、選別結果を表示部３２に表示する際、画像とともに、その画像の音声レベルをグラフィカルに線画表示する。
【０１７７】
なお、カメラの構成、及び、撮影時及び選別時の処理の手順については、上述した第１の実施の形態のデジタルカメラの構成を同じなので、ここでは選別結果の表示時の処理の手順についてのみ説明する。
【０１７８】
図１７は、第３の実施の形態のデジタルカメラにおける選別結果の表示例を示す図である。
【０１７９】
同図に示すように、注目画像として選別された各コマの画像に重ねて、各コマの画像の音声レベルがグラフ表示される。
【０１８０】
このように、選別された各コマの画像とともに、各コマの音声の情報をグラフィカルに線画表示することにより、前後の音声状態を一目で把握できるようになる。これにより、ユーザの目視による選別処理を簡単に行うことができるようになる。すなわち、選別された画像を更にユーザが目視でチェックして選別する場合があるが、このような場合に音声の情報がグラフィカルに表示されることにより、ユーザによる選別処理を簡単に行うことができるようになる。
【０１８１】
なお、上記の例では、各コマの画像の音声情報をグラフで表示しているが、上記第２の実施の形態のデジタルカメラのように、音声情報がレベル情報として記録されているような場合は、各コマの画像に重ねて、そのレベル情報（数値情報）を表示するようにしてもよい。また、棒グラフで表示するようにしてもよい。
【０１８２】
［第４の実施の形態］
次に、本発明に係る撮影装置の第４の実施の形態について説明する。  
【０１８３】
本実施の形態のデジタルカメラでは、選別結果を表示部３２に表示する際、選別された画像の音声レベルに応じて画像の大きさを変えて表示する。
【０１８４】
なお、カメラの構成、及び、撮影時及び選別時の処理の手順については、上述した第１の実施の形態のデジタルカメラの構成を同じなので、ここでは選別結果の表示時の処理の手順についてのみ説明する。
【０１８５】
図１８は、第４の実施の形態のデジタルカメラにおける選別結果の表示例を示す図である。
【０１８６】
同図に示すように、選別された各コマの画像は、表示部３２に一覧表示される際、その音声レベル（最大値、又は、平均値）に応じたサイズで表示される。すなわち、音声レベルが高い画像は大きいサイズで表示され、音声レベルが低い画像は小さいサイズで表示部３２に表示される。
【０１８７】
このように、音声レベルに応じて画像のサイズを変えて表示することにより、前後の音声状態を一目で把握できるようになる。これにより、ユーザの目視による選別処理を簡単に行うことができるようになる。
【０１８８】
［第５の実施の形態］
次に、本発明に係る撮影装置の第５の実施の形態について説明する。  
【０１８９】
本実施の形態のデジタルカメラでは、選別結果を表示部３２に表示する際、最大の音声レベルの画像を他の選別画像と区別可能に表示する。
【０１９０】
なお、カメラの構成、及び、撮影時及び選別時の処理の手順については、上述した第１の実施の形態のデジタルカメラの構成を同じなので、ここでは選別結果の表示時の処理の手順についてのみ説明する。
【０１９１】
図１９は、第５の実施の形態のデジタルカメラにおける選別結果の表示例を示す図である。
【０１９２】
同図に示すように、最大の音声レベルの画像が、他の画像よりも大きく表示される。
【０１９３】
ＣＰＵ５２は、選別された画像を表示部３２に表示する際、その選別された画像の中から音声レベル（最大値又は平均値）が最大の画像を検出する。そして、検出された画像が、他の画像よりも大きく表示されるようにして、選別画像を表示部３２に一覧表示させる。
【０１９４】
このように表示することにより、ユーザの目視による選別処理を簡単に行うことができるようになる。すなわち、より注目度の高い画像を簡単に判別することができるようになる。
【０１９５】
なお、音声レベルが最大の画像を他の選別画像と区別可能に表示する態様は、これに限定されるものではなく、一見して区別可能な態様であれば、いかなる方法を採用してもよい。たとえば、この他、図２０に示すように、音声レベルが最大の画像を枠で囲い、他の選別画像と区別できるようにしてもよい。また、音声レベルが最大の画像の枠の色や形を変えて、他の選別画像と区別できるようにしてもよい。
【０１９６】
なお、音声レベルが最大の画像が複数検出された場合は、その複数の画像に対して、他の画像と区別可能な表示を行う。
【０１９７】
［第６の実施の形態］
次に、本発明に係る撮影装置の第６の実施の形態について説明する。  
【０１９８】
本実施の形態のデジタルカメラでは、選別時に画像が連続して選別されなかった場合、欠落した画像を自動的に補完する。
【０１９９】
なお、カメラの構成、及び、撮影時及び再生時の処理の手順については、上述した第１の実施の形態のデジタルカメラの構成を同じなので、ここでは選別時の処理の手順についてのみ説明する。
【０２００】
図２１は、本実施の形態のデジタルカメラにおける選別処理の手順を示すフローチャートである。
【０２０１】
まず、ＣＰＵ５２は、変数ｎをｎ＝１として（ステップＳ７０）、連写ｎコマ目（最初なので１コマ目）の画像の音声データを読み出す（ステップＳ７１）。
【０２０２】
次に、読み出した音声データの音声レベルの最大値を検出し、あらかじめ設定された規定値とを比較する。そして、音声レベルの最大値が、規定値を超えているか否かを判定する（ステップＳ７２）。
【０２０３】
ここで、音声レベルの最大値が規定値を超えていると判定すると、その画像を注目画像として選別する（ステップＳ７３）。
【０２０４】
一方、音声レベルの最大値が規定値を超えていないと判定すると、その画像は注目画像として選別せず、次のステップに進む。
【０２０５】
この後、ＣＰＵ５２は、変数ｎをｎ＝ｎ＋１とし（ステップＳ７４）、連写画像として撮影された次の画像の有無を判定する（ステップＳ７５）。
【０２０６】
そして、次の画像があると判定した場合は、ステップＳ７１に戻り、次の画像の判定処理を実施する。
【０２０７】
一方、次の画像がないと判定すると、ＣＰＵ５２は、全画像の選別が完了したと判断し、次に、選別された画像の連続性をチェックする（ステップＳ７６）。すなわち、選別された画像が、連続しているか否かをチェックする。この処理は、たとえば、選別された画像のファイル番号が、連続しているか否かをチェックして行う。
【０２０８】
そして、このチェック結果から、選別された画像が連続しているか否かを判定し（ステップＳ７７）、連続性が満たされている場合は、処理を終了する。
【０２０９】
一方、連続性が満たされていないと判定すると、欠けている画像を補完し、補完後の画像群を選別画像とする（ステップＳ７８）。
【０２１０】
この後、ＣＰＵ５２は、選別結果を表示部３２に一覧表示させる。
【０２１１】
ここで、本実施の形態のデジタルカメラにおける選別処理の一例を説明する。
【０２１２】
連写画像として、図７に示した一連の画像群が取得されたと仮定する。この場合、規定値を[９Ａ]16とすると、ファイル番号００１２〜００１８、００２０の画像が注目画像として選別される。
【０２１３】
画像選別後、選別された画像の連続性をチェックすると、ファイル番号００１９の画像が欠落しているのが検出されるので、このファイル番号００１９の画像を補完して一連の選別画像とする。すなわち、ファイル番号００１２〜００２０の画像が選別画像とされる。
【０２１４】
このように、欠落している画像がある場合は、自動的にこれを補完して連続性を満足させる。これにより、選別された画像の不連続感をなくすことができる。
【０２１５】
なお、上記の例では、画像が１コマ欠落して選別されている場合を例に説明したが、２コマ以上連続して欠落している場合にも同様に補完して連続性を満足させるようにすることもできる。ただし、あまりにも多くの画像が連続して欠落している場合には、その前後の画像群は無関係と判断することができるので、連続性を満足させないようにすることもできる。たとえば、５コマ以上連続して画像が欠落している場合には、画像の補完は行わないようにすることもできる。また、この設定をユーザが任意に行うことができるようにすることもできる。
【０２１６】
また、上記の例では、一カ所で画像の欠落が生じている場合を例に説明したが、複数箇所で画像が欠落している場合にも同様に補完して連続性を満足させるようにする。
【０２１７】
また、上記の例では、全画像の選別処理後、一括して連続性のチェックを行うようにしているが、各コマの画像の選別処理を行いながら、逐次画像の連続性をチェックして、欠落画像を補完するようにすることもできる。
【０２１８】
図２２は、逐次画像の連続性をチェックして、選別処理を行う場合の処理の手順を示すフローチャートである。
【０２１９】
まず、ＣＰＵ５２は、変数ｎをｎ＝１として（ステップＳ８０）、連写ｎコマ目（最初なので１コマ目）の画像の音声データを読み出す（ステップＳ８１）。
【０２２０】
次に、読み出した音声データの音声レベルの最大値を検出し、あらかじめ設定された規定値とを比較する。そして、音声レベルの最大値が、規定値を超えているか否かを判定する（ステップＳ８２）。
【０２２１】
ここで、音声レベルの最大値が規定値を超えていないと判定すると、その画像は注目画像として選別せず、次のステップに進む。
【０２２２】
一方、音声レベルの最大値が規定値を超えていると判定すると、その画像を注目画像として選別する（ステップＳ８３）。
【０２２３】
この後、ＣＰＵ５２は、選別された画像の一つ前に選別された画像が、一つ前のコマの画像か否かを判定する（ステップＳ８４）。
【０２２４】
この判定は、たとえば、一つ前に選別された画像のファイル番号と、一つ前に選別の判定処理を行ったコマの画像のファイル番号とを照合し、一致するか否かを判定して行われる。すなわち、両者が一致していれば、連続して選別されていると判別できるので、これにより、選別の連続性を判断する。
【０２２５】
この判定の結果、選別された画像の一つ前に選別された画像が、一つ前のコマの画像ではないと判定すると、ＣＰＵ５２は、その間の画像を注目画像に選別する（ステップＳ８５）。すなわち、今回選別された画像と一つ前に選別された画像との間の画像（今回選別された画像のファイル番号と一つ前に選別された画像のファイル番号との間のファイル番号の画像）を注目画像に選別する。
【０２２６】
たとえば、図７の例で規定値を[９Ａ]16とすると、ファイル番号００１８の画像が選別された後、次に、ファイル番号００２０の画像が選別される。このファイル番号００２０の画像を選別後、連続性をチェックすると、一つ前に選別された画像のファイル番号が００１８であり、一つ前に選別の判定処理を行った画像のファイル番号００１９と異なることが判明する。したがって、この場合、今回選別された画像と一つ前に選別された画像の間の画像であるファイル番号００１９の画像が注目画像として選別される。これにより、選別画像の連続性が保たれる。
【０２２７】
この後、ＣＰＵ５２は、変数ｎをｎ＝ｎ＋１とし（ステップＳ８６）、連写画像として撮影された次の画像の有無を判定する（ステップＳ８７）。
【０２２８】
そして、次の画像があると判定した場合は、ステップＳ８１に戻り、次の画像の判定処理を実施する。
【０２２９】
一方、次の画像がないと判定すると、ＣＰＵ５２は、全画像の選別が完了したと判断し、選別処理を終了する。この後、ＣＰＵ５２は、選別結果を表示部３２に一覧表示させる。
【０２３０】
このように画像の選別中に逐次画像の連続性をチェックして、欠落画像を補完することもできる。
【０２３１】
［第７の実施の形態］
次に、本発明に係る撮影装置の第７の実施の形態について説明する。  
【０２３２】
本実施の形態のデジタルカメラは、選別時に画像選別の基準となる規定値をユーザが任意に設定できるようにしたものである。
【０２３３】
なお、カメラの基本構成は、上述した第１の実施の形態のデジタルカメラの構成を同じなので、ここでは規定値の設定処理の方法についてのみ説明する。
【０２３４】
本実施の形態のデジタルカメラでは、周囲の音声を実際に取り込んで、音声レベルの規定値を設定する。この処理は、カメラのモードを規定値設定モードに設定して行われる。
【０２３５】
規定値設定モードの呼び出しは、たとえば、メニュー画面で行われる。すなわち、メニュー画面に表示されるメニュー項目の一つに規定値設定の項目が用意されており、規定値設定の項目を選択すると、カメラのモードが、規定値設定モードに設定される。この他、専用の操作手段を設けて、規定値設定モードの呼び出しを行うようにしてもよい。
【０２３６】
図２３は、規定値設定モードでの規定値の設定処理の手順を示すフローチャートである。
【０２３７】
まず、ＣＰＵ５２は、設定中止操作がされたか否かを判定する（ステップＳ９０）。この操作は、たとえば、キャンセルボタンを押下することにより行われる。
【０２３８】
次に、ＣＰＵ５２は、規定値設定操作がされたか否かを判定する（ステップＳ９１）。この操作は、たとえば、レリーズボタンを押下（全押し（Ｓ２ＯＮ））することにより行われる（この他、ＯＫボタン等の他のボタンを押下することによって行うようにしてもよい）。
【０２３９】
規定値設定操作がされたと判定すると、ＣＰＵ５２は、集音部４２から一定期間、音声の取り込みを行う（ステップＳ９２）。そして、取り込んだ音声の音声レベル（最大値）を検出する（ステップＳ９３）。
【０２４０】
以上により、新たに規定値として設定する音声レベルの取得処理は終了し、この後、ＣＰＵ５２は、表示部３２に規定値の更新を行うか否かを問い合わせるメッセージを表示する。この際、取得した音声レベルの情報を表示部３２に表示するようにしてもよい。また、ユーザからの指示に応じて、音声データを再生するようにしてもよい。
【０２４１】
ユーザは、このメッセージを確認して、更新の要否を判断する。そして、更新する場合は、ＯＫボタンを押下し、更新しない場合は、キャンセルボタンを押下する。
【０２４２】
ＣＰＵ５２は、操作部５４からの入力に基づいて、更新が許可されたか否か（更新の実行が指示されたか否か）を判定する（ステップＳ９４）。
【０２４３】
そして、更新が許可されたと判定すると、取得した音声レベルを新たな規定値に設定して、規定値を更新する（ステップＳ９５）。
【０２４４】
一方、更新が許可されないと判定すると、取得した音声レベルを破棄して（ステップＳ９６）、処理を終了する。
【０２４５】
このように、規定値を任意に設定変更できるようにすることにより、撮影シーンに応じて適切な規定値を設定することができ、適切な選別処理を行うことができる。
【０２４６】
なお、上記実施の形態では、実際の音声を取得して、規定値を設定するようにしているが、ユーザが規定値を数値入力して設定するようにしてもよい。また、いくつかの音声サンプルを用意しておき、その中の一つを選択して、規定値を設定するようにしてもよい。
【０２４７】
また、取得した音声レベルの情報は、フラッシュメモリ２６に保存し、適宜呼び出して設定できるようにしてもよい。
【０２４８】
また、上記実施の形態では、取得した音声の音声レベルの最大値を規定値に設定しているが、取得した音声の音声レベルの平均値を規定値に設定するようにしてもよい。
【０２４９】
また、音声の取得は、レリーズボタンを押下している間継続して実行するようにしてもよい。
【０２５０】
［第８の実施の形態］
次に、本発明に係る撮影装置の第８の実施の形態について説明する。  
【０２５１】
本実施の形態では、撮影ごとに規定値が設定される。すなわち、撮影直前に周囲の音声を取得し、規定値を取得する。具体的には、レリーズボタンの半押しで実行される撮影準備中に規定値の設定処理が行われる。
【０２５２】
なお、本処理は規定値設定動作がＯＮに設定されている場合にのみ行われる。規定値設定動作のＯＮ／ＯＦＦの設定は、たとえば、メニュー画面で行われ、設定された情報は、フラッシュメモリ２６に記憶される。この他、専用の操作手段を設けて、規定値設定動作のＯＮ／ＯＦＦを設定できるようにしてもよい。
【０２５３】
図２４は、本実施の形態のデジタルカメラにおける規定値の設定処理の手順を示すフローチャートである。
【０２５４】
ＣＰＵ５２は、操作部５４からの入力に基づいて、レリーズボタンが半押し（Ｓ１ＯＮ）されたか否かを判定する（ステップＳ１００）。
【０２５５】
レリーズボタンが半押しされたと判定すると、ＣＰＵ５２は、シャッタモードが連写モードか否かを判定する（ステップＳ１０１）。そして、シャッタモードが連写モードと判定すると、ＣＰＵ５２は、規定値設定動作がＯＮにされているか否かを判定する（ステップＳ１０２）。
【０２５６】
ここで、規定値設定動作がＯＮにされていると判定すると、ＣＰＵ５２は、集音部４２から音声の取り込みを行い（ステップＳ１０３）、取り込んだ音声の音声レベル（最大値）を検出する（ステップＳ１０４）。
【０２５７】
そして、検出した音声レベルを規定値に設定し、記憶する（ステップＳ１０５）。
【０２５８】
この後、ＣＰＵ５２は、本撮影の指示（レリーズボタンの全押し）に応じて、本撮影の処理を実行する。
【０２５９】
なお、上記の説明では、規定値の設定処理についてのみ述べているが、レリーズボタンが半押しされると、上記の規定値の設定処理と平行して、ＡＥ、ＡＦ等の撮影準備処理が行われる。
【０２６０】
また、設定された規定値は、撮影された連写画像に固有のものであるから、設定された規定値の情報は、撮影された連写画像に関連付けられて、記憶される。たとえば、撮影により得られた個々の画像のヘッダ部にタグ形式で記録するようにしてもよいし、別ファイルとして、各画像に関連付けて、記憶メディア３８又はフラッシュメモリ２６に記録するようにしてもよい。
【０２６１】
画像の選別時は、この各画像に固有の規定値を用いて選別処理を行う。
【０２６２】
［その他の実施の形態］
上述した一連の実施の形態で説明した各機能は適宜組み合わせて使用することができる。
【０２６３】
また、音声データの取り込み、記録は、連写モード時にのみ実施し、単写モードでは行わないように構成する。これにより、無駄な処理が行われるのを防止することができる。
【０２６４】
また、上記一連の実施の形態では、選別結果を表示部３２に表示する点についてのみ説明したが、さらに選別された画像のみ記憶メディア３８に記録できるようにしてもよい。すなわち、所定の記録指示に応じて、選別された画像のみを記憶メディア３８に残し、他の画像（一連の連写画像の中で選別されなかった画像）を削除するようにしてもよい。これにより、画像の管理を容易に行うことができる。この他、選別された画像のみをコピー、移動等できるようにしてもよい。
【図面の簡単な説明】
【０２６５】
【図１】本発明が適用されたデジタルカメラのシステム構成の一実施形態を示すブロック図
【図２】第１の実施の形態のデジタルカメラにおける単写モード時の撮影処理の手順を示すフローチャート
【図３】第１の実施の形態のデジタルカメラにおける連写モード時の撮影処理の手順を示すフローチャート
【図４】画像の撮影タイミングと音声の取得タイミングの関係を示すタイミングチャート
【図５】第１の実施の形態のデジタルカメラにおける再生処理の手順を示すフローチャート
【図６】第１の実施の形態のデジタルカメラにおける選別処理の手順を示すフローチャート
【図７】連写画像の一例を示す図
【図８】選別結果の表示例を示す図
【図９】選別結果の表示例を示す図
【図１０】選別結果の表示例を示す図
【図１１】選別結果の表示例を示す図
【図１２】音速を考慮した場合の画像の撮影タイミングと音声の取得タイミングの関係を示すタイミングチャート
【図１３】第２の実施の形態のデジタルカメラにおける連写モード時の撮影処理の手順を示すフローチャート
【図１４】画像の撮影タイミングと音声の取得タイミングの関係を示すタイミングチャート
【図１５】記録処理の手順を示すフローチャート
【図１６】音速を考慮した場合の画像の撮影タイミングと音声の取得タイミングの関係を示すタイミングチャート
【図１７】第３の実施の形態のデジタルカメラにおける選別結果の表示例を示す図
【図１８】第４の実施の形態のデジタルカメラにおける選別結果の表示例を示す図
【図１９】第５の実施の形態のデジタルカメラにおける選別結果の表示例を示す図
【図２０】選別結果の表示例を示す図
【図２１】第６の実施の形態のデジタルカメラにおける選別処理の手順を示すフローチャート
【図２２】逐次画像の連続性をチェックして、選別処理を行う場合の処理の手順を示すフローチャート
【図２３】第８の実施の形態のデジタルカメラにおける規定値の設定処理の手順を示すフローチャート
【図２４】第８の実施の形態のデジタルカメラにおける規定値の設定処理の手順を示すフローチャート
【符号の説明】
【０２６６】
１０…デジタルカメラ、１２…撮影光学系、１４…撮像素子、１６…撮像素子駆動部、１８…アナログ信号処理部、２０…Ａ／Ｄ変換器、２２…メモリ制御部、２４…メインメモリ、２６…フラッシュメモリ、２８…デジタル信号処理部、３０…表示制御部、３２…表示部、３４…圧縮・伸張処理部、３６…記憶メディア制御部、３８…記憶メディア、４０…音声信号処理部、４２…集音部、４４…音声出力部、４６…積算部、４８…フラッシュ発光部、５０…フラッシュ調光部、５２…ＣＰＵ、５４…操作部
【図１】
2010068280.tif 000003
【図２】
2010068280.tif 000004
【図３】
2010068280.tif 000005
【図４】
2010068280.tif 000006
【図５】
2010068280.tif 000007
【図６】
2010068280.tif 000008
【図７】
2010068280.tif 000009
【図８】
2010068280.tif 000010
【図９】
2010068280.tif 000011
【図１０】
2010068280.tif 000012
【図１１】
2010068280.tif 000013
【図１２】
2010068280.tif 000014
【図１３】
2010068280.tif 000015
【図１４】
2010068280.tif 000016
【図１５】
2010068280.tif 000017
【図１６】
2010068280.tif 000018
【図１７】
2010068280.tif 000019
【図１８】
2010068280.tif 000020
【図１９】
2010068280.tif 000021
【図２０】
2010068280.tif 000022
【図２１】
2010068280.tif 000023
【図２２】
2010068280.tif 000024
【図２３】
2010068280.tif 000025
【図２４】
2010068280.tif 000026